(57)【要約】      （修正有）【課題】ドレン配管を要することなく、空調を行うことができる空調システムを提供する。【解決手段】空調システムは、空調領域の外側に設けられ、前記空調領域の外側の空気と冷媒との熱交換を行う室外機１と、前記空調領域の内側に設けられ、水と前記空調領域の内側の空気との熱交換を行う室内機２と、前記室外機１から送られた冷媒と水との熱交換を行い、熱交換した水を前記室内機２に送り、前記室内機２において熱交換された後の水の流入を受け付ける水流ユニット３と、を備えた。【選択図】図１
2019190793.tif 000002
【特許請求の範囲】
【請求項１】
空調領域の外側に設けられ、前記空調領域の外側の空気と冷媒との熱交換を行う室外機と、
前記空調領域の内側に設けられ、水と前記空調領域の内側の空気との熱交換を行う室内機と、
前記室外機から送られた冷媒と水との熱交換を行い、熱交換した水を前記室内機に送り、前記室内機において熱交換された後の水の流入を受け付ける水流ユニットと、
を備えた空調システム。
【請求項２】
前記室内機に設けられ、水を蓄える室内側ドレンパンと、
前記水流ユニットに設けられ、水を蓄えるユニット側ドレンパンと、
前記室内機と前記水流ユニットとをつなぐ室内行き側配管と、
前記室内機と前記水流ユニットとをつなぐ室内戻り側配管と、
前記室内行き側配管に設けられ、前記ユニット側ドレンパンに蓄えられた水を前記室内機に送る室内行き側送水ポンプと、
前記室内戻り側配管に設けられ、前記室内側ドレンパンに蓄えられた水を前記水流ユニットに送る室内戻り側送水ポンプと、
を備えた請求項１に記載の空調システム。
【請求項３】
前記室内側ドレンパンの水位を検出する室内側水位検出装置と、
前記ユニット側ドレンパンの水位を検出するユニット側水位検出装置と、
前記室内側水位検出装置の検出結果および前記ユニット側水位検出装置の検出結果の少なくとも一方に基づいて前記室内行き側送水ポンプおよび前記室内戻り側送水ポンプの少なくとも一方の動作を制御する制御装置と、
を備えた請求項２に記載の空調システム。
【請求項４】
前記制御装置は、前記室内側水位検出装置が予め設定された水位以上の水位を検出した場合に、前記室内行き側送水ポンプの動作を停止させる請求項３に記載の空調システム。
【請求項５】
前記制御装置は、前記ユニット側水位検出装置が予め設定された水位以上の水位を検出した場合に、前記室内戻り側送水ポンプの動作を停止させる請求項３または請求項４に記載の空調システム。
【請求項６】
前記制御装置は、前記室内側水位検出装置の検出結果と前記ユニット側水位検出装置の検出結果とに基づいて算出された全体水量が予め設定された水量以下である場合に、前記室内行き側送水ポンプの動作と前記室内戻り側送水ポンプの動作とを停止させる請求項３から請求項５のいずれか一項に記載の空調システム。
【請求項７】
前記ユニット側ドレンパンへの給水を行うユニット側給水装置と、
前記ユニット側ドレンパンからの排水を行うユニット側排水装置と、
を備え、
前記制御装置は、予め設定された条件に基づいて前記ユニット側給水装置の動作と前記ユニット側排水装置の動作とを制御する請求項３から請求項６のいずれか一項に記載の空調システム。
【発明の詳細な説明】
【技術分野】
【０００１】
この発明は、ドレン配管を必要としない空調システムに関する。
【背景技術】
【０００２】
特許文献１は、空調装置を開示する。当該空調装置によれば、ドレンパンを洗浄し得る。
【先行技術文献】
【特許文献】
【０００３】
【特許文献１】実用新案登録第３０６０７３８号公報
【発明の概要】
【発明が解決しようとする課題】
【０００４】
しかしながら、特許文献１に記載の空調装置においては、室内機の側にドレン配管が必要となる。ドレン配管においては、断熱処理、勾配確保等、制約条件が多い。このため、ドレン配管の施工品質が悪いと、水漏れ等が発生することもある。
【０００５】
この発明は、上述の課題を解決するためになされた。この発明の目的は、室内機の側にドレン配管を要することなく、空調を行うことができる空調システムを提供することである。
【課題を解決するための手段】
【０００６】
この発明に係る空調システムは、空調領域の外側に設けられ、前記空調領域の外側の空気と冷媒との熱交換を行う室外機と、前記空調領域の内側に設けられ、水と前記空調領域の内側の空気との熱交換を行う室内機と、前記室外機から送られた冷媒と水との熱交換を行い、熱交換した水を前記室内機に送り、前記室内機において熱交換された後の水の流入を受け付ける水流ユニットと、を備えた。
【発明の効果】
【０００７】
この発明によれば、水流ユニットは、熱交換した水を室内機に送る。水流ユニットは、室内機において熱交換された後の水の流入を受け付ける。このため、室内機の側にドレン配管を要することなく、空調を行うことができる。
【図面の簡単な説明】
【０００８】
【図１】実施の形態１における空調システムの構成図である。
【図２】実施の形態１における空調システムの制御装置の動作の例を説明するためのフローチャートである。
【図３】実施の形態１における空調システムの制御装置のハードウェア構成図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１における空調システムの構成図である。
【００１１】
図１の空調システムにおいて、室外機１は、空調領域の外側に設けられる。室外機１は、空調領域の外側の空気と冷媒との熱交換を行い得るように設けられる。室内機２は、空調領域の内側に設けられる。室内機２は、水と空調領域の内側の空気との熱交換を行い得るように設けられる。水流ユニット３は、室内機２に隣接して設けられる。水流ユニット３は、室外機１から送られた冷媒と水との熱交換を行い得るように設けられる。水流ユニット３は、熱交換された水を室内機２に送り得るように設けられる。水流ユニット３は、室内機２において熱交換された後の水の流入を受け付け得るように設けられる。
【００１２】
室内側ドレンパン４は、室内機２に設けられる。室内側ドレンパン４は、室内機２におけるドレン水等の水を蓄え得るように設けられる。ユニット側ドレンパン５は、水流ユニット３に設けられる。ユニット側ドレンパン５は、水流ユニット３におけるドレン水等の水を蓄え得るように設けられる。
【００１３】
室内行き側配管６は、室内機２と水流ユニット３とをつなぐ。室内戻り側配管７は、室内機２と水流ユニット３とをつなぐ。
【００１４】
室内行き側フィルタ８は、室内行き側配管６に設けられる。室内行き側フィルタ８は、室内行き側配管６を流れる水から異物を除去し得るように設けられる。室内戻り側フィルタ９は、室内戻り側配管７に設けられる。室内戻り側フィルタ９は、室内戻り側配管７を流れる水から異物を除去し得るように設けられる。
【００１５】
室内行き側送水ポンプ１０は、室内行き側配管６に設けられる。室内行き側送水ポンプ１０は、室内行き側配管６を介してユニット側ドレンパン５に蓄えられた水を室内機２に送り得るように設けられる。室内戻り側送水ポンプ１１は、室内戻り側配管７に設けられる。室内戻り側送水ポンプ１１は、室内戻り側配管７を介して室内側ドレンパン４に蓄えられた水をユニット側ドレンパン５に送り得るように設けられる。
【００１６】
ユニット側給水装置１２は、水流ユニット３に設けられる。ユニット側給水装置１２は、ユニット側ドレンパン５への給水を行い得るように設けられる。ユニット側排水装置１３は、水流ユニット３に設けられる。ユニット側排水装置１３は、ユニット側ドレンパン５からの排水を行い得るように設けられる。
【００１７】
室内側水位検出装置１４は、室内側ドレンパン４に設けられる。室内側水位検出装置１４は、室内側ドレンパン４の水位を検出し得るように設けられる。ユニット側水位検出装置１５は、ユニット側ドレンパン５に設けられる。ユニット側水位検出装置１５は、ユニット側ドレンパン５の水位を検出し得るように設けられる。
【００１８】
制御装置１６は、空調システムの各種機器を制御し得るように設けられる。
【００１９】
例えば、制御装置１６は、予め設定された条件に基づいてユニット側給水装置１２の動作とユニット側排水装置１３の動作とを制御する。
【００２０】
例えば、室内側水位検出装置１４が予め設定された水位以上の水位を検出した場合、制御装置１６は、室内行き側送水ポンプ１０の動作を停止させる。
【００２１】
例えば、ユニット側水位検出装置１５が予め設定された水位以上の水位を検出した場合、制御装置１６は、室内戻り側送水ポンプ１１の動作を停止させる。
【００２２】
例えば、室内側水位検出装置１４の検出結果とユニット側水位検出装置１５の検出結果とに基づいて算出された全体水量が予め設定された水量以下である場合、制御装置１６は、室内行き側送水ポンプ１０の動作と室内戻り側送水ポンプ１１の動作とを停止させる。
【００２３】
次に、図２を用いて、制御装置１６の動作の例を説明する。
図２は実施の形態１における空調システムの制御装置の動作の例を説明するためのフローチャートである。
【００２４】
ステップＳ１では、制御装置１６は、水の入れ替え条件が成立したか否かを判定する。例えば、制御装置１６は、現時刻が予め設定された水の入れ替え時刻か否かを判定する。
【００２５】
ステップＳ１で水の入れ替え条件が成立した場合、制御装置１６は、ステップＳ２の動作を行う。ステップＳ２では、制御装置１６は、ユニット側給水装置１２とユニット側排水装置１３とを動作させる。その後、制御装置１６は、ステップＳ１の動作を行う。
【００２６】
ステップＳ１で水の入れ替え条件が成立していない場合、制御装置１６は、ステップＳ３の動作を行う。ステップＳ３では、制御装置１６は、室内側水位検出装置１４が予め設定された水位以上の水位を検出しているか否かを判定する。
【００２７】
ステップＳ３で室内側水位検出装置１４が予め設定された水位以上の水位を検出していない場合、制御装置１６は、ステップＳ４の動作を行う。ステップＳ４では、制御装置１６は、ユニット側水位検出装置１５が予め設定された水位以上の水位を検出しているか否かを判定する。
【００２８】
ステップＳ４でユニット側水位検出装置１５が予め設定された水位以上の水位を検出していない場合、制御装置１６は、ステップＳ５の動作を行う。ステップＳ５では、制御装置１６は、室内側水位検出装置１４の検出結果とユニット側水位検出装置１５の検出結果とに基づいて算出された全体水量が予め設定された水量以下であるか否かを判定する。
【００２９】
ステップＳ５で室内側水位検出装置１４の検出結果とユニット側水位検出装置１５の検出結果とに基づいて算出された全体水量が予め設定された水量以下でない場合、制御装置１６は、ステップＳ１の動作を行う。
【００３０】
ステップＳ３で室内側水位検出装置１４が予め設定された水位以上の水位を検出している場合、制御装置１６は、ステップＳ６の動作を行う。ステップＳ６では、制御装置１６は、室内行き側送水ポンプ１０の動作を停止させる。
【００３１】
ステップＳ４でユニット側水位検出装置１５が予め設定された水位以上の水位を検出している場合、制御装置１６は、ステップＳ７の動作を行う。ステップＳ７では、制御装置１６は、室内戻り側送水ポンプ１１の動作を停止させる。
【００３２】
ステップＳ５で室内側水位検出装置１４の検出結果とユニット側水位検出装置１５の検出結果とに基づいて算出された全体水量が予め設定された水量以下である場合、制御装置１６は、ステップＳ８の動作を行う。ステップＳ８では、制御装置１６は、室内行き側送水ポンプ１０の動作と室内戻り側送水ポンプ１１の動作とを停止させる。
【００３３】
以上で説明した実施の形態１によれば、水流ユニット３は、熱交換した水を室内機２に送る。水流ユニット３は、室内機２において熱交換された後の水の流入を受け付ける。このため、室内機２の側にドレン配管を要することなく、空調を行うことができる。
【００３４】
また、室内行き側送水ポンプ１０は、ユニット側ドレンパン５に蓄えられた水を室内機２に送る。室内戻り側送水ポンプ１１は、室内側ドレンパン４に蓄えられた水を水流ユニット３に送る。このため、室内機２と水流ユニット３との間における水の循環を円滑に行うことができる。
【００３５】
また、室内側水位検出装置１４が予め設定された水位以上の水位を検出している場合、制御装置１６は、室内行き側送水ポンプ１０の動作を停止させる。このため、室内側ドレンパン４の水が溢れることを防止できる。
【００３６】
また、ユニット側水位検出装置１５が予め設定された水位以上の水位を検出している場合、制御装置１６は、室内戻り側送水ポンプ１１の動作を停止させる。このため、ユニット側ドレンパン５の水が溢れることを防止できる。
【００３７】
また、室内側水位検出装置１４の検出結果とユニット側水位検出装置１５の検出結果とに基づいて算出された全体水量が予め設定された水量以下である場合、制御装置１６は、室内行き側送水ポンプ１０の動作と室内戻り側送水ポンプ１１の動作とを停止させる。このため、空調システムからの水漏れが増えることを防止できる。
【００３８】
また、制御装置１６は、予め設定された条件に基づいてユニット側給水装置１２の動作とユニット側排水装置１３の動作とを制御する。このため、適切タイミングで室内機２と水流ユニット３との間を循環する水を入れ替えることができる。この際、ユニット側排水装置１３を動作させて排水した後、ユニット側給水装置１２を動作させて給水すればよい。その結果、室内機２と水流ユニット３との間において、より清浄な水を循環させることができる。
【００３９】
なお、複数の室内機２に対して１つの水流ユニット３を適用してもよい。また、１つの室外機１に対して複数の水流ユニット３を適用してもよい。これらの場合も、室内機２の側にドレン配管を要することなく、空調を行うことができる。
【００４０】
次に、図３を用いて、制御装置１６の例を説明する。
図３は実施の形態１における空調システムの制御装置のハードウェア構成図である。
【００４１】
制御装置１６の各機能は、処理回路により実現し得る。例えば、処理回路は、少なくとも１つのプロセッサ１７ａと少なくとも１つのメモリ１７ｂとを備える。例えば、処理回路は、少なくとも１つの専用のハードウェア１８を備える。
【００４２】
処理回路が少なくとも１つのプロセッサ１７ａと少なくとも１つのメモリ１７ｂとを備える場合、制御装置１６の各機能は、ソフトウェア、ファームウェア、またはソフトウェアとファームウェアとの組み合わせで実現される。ソフトウェアおよびファームウェアの少なくとも一方は、プログラムとして記述される。ソフトウェアおよびファームウェアの少なくとも一方は、少なくとも１つのメモリ１７ｂに格納される。少なくとも１つのプロセッサ１７ａは、少なくとも１つのメモリ１７ｂに記憶されたプログラムを読み出して実行することにより、制御装置１６の各機能を実現する。少なくとも１つのプロセッサ１７ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ１７ｂは、ＲＡＭ、ＲＯＭ、フラッシュメモリ、ＥＰＲＯＭ、ＥＥＰＲＯＭ等の、不揮発性または揮発性の半導体メモリ、磁気ディスク、フレキシブルディスク、光ディスク、コンパクトディスク、ミニディスク、ＤＶＤ等である。
【００４３】
処理回路が少なくとも１つの専用のハードウェア１８を備える場合、処理回路は、例えば、単一回路、複合回路、プログラム化したプロセッサ、並列プログラム化したプロセッサ、ＡＳＩＣ、ＦＰＧＡ、またはこれらの組み合わせで実現される。例えば、制御装置１６の各機能は、それぞれ処理回路で実現される。例えば、制御装置１６の各機能は、まとめて処理回路で実現される。
【００４４】
制御装置１６の各機能について、一部を専用のハードウェア１８で実現し、他部をソフトウェアまたはファームウェアで実現してもよい。例えば、エレベーターの運転モードを切り替える機能については専用のハードウェア１８としての処理回路で実現し、エレベーターの運転モードを切り替える機能以外の機能については少なくとも１つのプロセッサ１７ａが少なくとも１つのメモリ１７ｂに格納されたプログラムを読み出して実行することにより実現してもよい。
【００４５】
このように、処理回路は、ハードウェア１８、ソフトウェア、ファームウェア、またはこれらの組み合わせで制御装置１６の各機能を実現する。
【符号の説明】
【００４６】
１  室外機、  ２  室内機、  ３  水流ユニット、  ４  室内側ドレンパン、  ５  ユニット側ドレンパン、  ６  室内行き側配管、  ７  室内戻り側配管、  ８  室内行き側フィルタ、  ９  室内戻り側フィルタ、  １０  室内行き側送水ポンプ、  １１  室内戻り側送水ポンプ、  １２  ユニット側給水装置、  １３  ユニット側排水装置、  １４  室内側水位検出装置、  １５  ユニット側水位検出装置、  １６  制御装置、  １７ａ  プロセッサ、  １７ｂ  メモリ、  １８  ハードウェア
【図１】
2019190793.tif 000003
【図２】
2019190793.tif 000004
【図３】
2019190793.tif 000005